(57)【要約】【課題】フィルタプレス用加熱板を提供する。【解決手段】本発明のフィルタプレス用加熱板は、加熱体及び導熱油を収容設置する外板殻体であり、そのうち、該外板殻体は、中空状矩形体に設けられ、外板殻体内部に収容空間を形成する外板殻体と、導油管と、を含み、加熱体は、外板殻体の収容空間内に設置され、加熱体内部に加熱空間を設け、熱源に加熱空間を経由して加熱体に対して加熱を行わせ、導熱油は、外板殻体の導油管を通過し、収容空間内に入り、且つ導熱油は、収容空間内と加熱体外に分布し、加熱板の構造の受力強度及び使用寿命を向上させ、且つ加熱体に直接加熱及び導熱油を合わせて外板殻体に伝導加熱させ、加熱効果の均衡及び安定を達成する。【選択図】図２
2017077502.tif 000002
【特許請求の範囲】
【請求項１】
加熱体及び導熱油を収容設置する外板殻体であり、そのうち、該外板殻体は、中空状矩形体に設けられ、外板殻体内部に収容空間を密封形成する外板殻体と、外部から収容空間に連通する導油管と、を含み、該加熱体は、外板殻体の収容空間内に設置され、加熱体内部に加熱空間と、外部から加熱空間に連通する入熱管及び互いに間隔をあけた排熱管と、を設け、熱源を誘導して順に入熱管、加熱空間及び排熱管を通過させ、熱源に加熱空間を経由して加熱体に対して加熱を行わせ、該導熱油は、外板殻体の導油管を通過し、収容空間内に入り、且つ導熱油は、収容空間内と加熱体外に分布し、加熱体に導熱油を合わせて加熱を外板殻体に伝導させるフィルタプレス用加熱板。
【請求項２】
前記外板殻体は、内周開口を有する固定フレームと、固定フレームの相対する両側を覆う２つのシール板と、を含み、該収容空間は、固定フレーム内周開口と２つのシール板の間に形成される請求項１に記載のフィルタプレス用加熱板。
【請求項３】
前記外板殻体の両側のシール板は、加熱体の相対する両側に寄せられ、且つ両側のシール板は、加熱体の加熱中に外へ膨張し、導熱油を吸引し、両側のシール板と加熱体との間に進入させる請求項２に記載のフィルタプレス用加熱板。
【請求項４】
前記導油管は、外板殻体上部に延伸し、且つ導油管は、外へ向けて導熱油容器を接続する請求項１に記載のフィルタプレス用加熱板。
【請求項５】
前記加熱体は、中空状板殻体として設けられ、内部に加熱空間を構成し、且つ板殻体の形状は、収容空間に合わせられ、該加熱体の入熱管、排熱管が外板殻体に伸出する請求項１に記載のフィルタプレス用加熱板。
【請求項６】
前記加熱体は、寄せ合わせられて配列される複数の板殻体であり、各板殻体は、それぞれ入熱管と排熱管を設ける請求項５に記載のフィルタプレス用加熱板。
【請求項７】
前記加熱体は、加熱管体として設けられ、且つ加熱管体の分布は収容空間に合わせられ、該加熱管体は、相互に接続して連通する加熱管部を含み、該加熱体の入熱管、排熱管は、外板殻体に伸出する請求項１に記載のフィルタプレス用加熱板。
【発明の詳細な説明】
【技術分野】
【０００１】
本発明は、フィルタプレス用加熱板に関し、特に、含水汚泥又はろ過物に対して押圧脱水及び加熱乾燥を行うフィルタプレス用加熱板に関する。
【背景技術】
【０００２】
現在の含水汚泥及びその他の各種ろ過物が使用するフィルタプレスでは、機台の軌道上に活動移動して分離及び重なり合って寄せ合うことができる複数組のろ過板９及び加熱板９１を安置し、図１に示すように、各ろ過板９及び加熱板９１は、相通する汚泥入口９２及び各隅の汚水排出孔９４を設け、且つ各ろ過板９両側にそれぞれろ過布９３を被せ、加熱板９１は、加熱空間９５及び両側シール板９６を有し、外部の熱源９７（蒸気）を各加熱板９１の加熱空間９５に通過させることができる。
【０００３】
実際にフィルタプレッシング過程を行う時、全てのろ過板９及び加熱板９１を重ね合わせて寄せ合わせ、ポンプを利用して含水した汚泥９８を抽出して各ろ過板９及び加熱板９１の汚泥入口９２に送り込み、且つ押圧を持続的に行い、汚水をろ過布９３及び汚水排出孔９４を介して流出させ、汚泥９８は、ろ過布９３により包まれ各ろ過板９及び加熱板９１の間で押圧脱水を行う。その後、熱管９７（蒸気）を利用して各加熱板９１の加熱空間９５を通過させ、熱源９７に直接両側シール板９６を加熱させ、両側シール板９６の伝導により汚泥９８の水分を加熱気化させ、乾燥効率を向上させる。
【０００４】
従来の加熱板９１は、加熱過程において、両側シール板９６は、熱源９７（蒸気）の熱量及び圧力作用を直接受け、外向きに膨張状態を招き、且つシール板９６は、内外表面でそれぞれ熱源９７、汚泥９８に接触し、加熱板９１の構造が受ける強度を有効に向上させることができず、加熱板９１が損壊し易く、相対して使用寿命を低減させる。上記従来のフィルタプレス用加熱板９１の欠陥及び不足を如何に解決するかは、関連業者が研究開発を欲する課題となっている。
【先行技術文献】
【特許文献】
【０００５】
【特許文献１】特開２００４−１８１３９２号公報
【発明の概要】
【発明が解決しようとする課題】
【０００６】
本発明の目的及び使用効果は、加熱板が外板殻体内部と加熱体の間に導熱油を充満させ、加熱板が受ける強度と使用寿命を向上させ、且つ加熱板は、直接加熱及び導熱油を合わせて加熱を外板殻体に伝導することができ、均衡し、安定した加熱効果を達成できるようにすることである。
【課題を解決するための手段】
【０００７】
上記目的を達成する為、本発明が提供するフィルタプレス用加熱板は、加熱体及び導熱油を収容設置する外板殻体であり、そのうち、該外板殻体は、中空状矩形体に設けられ、外板殻体内部に収容空間を密封形成する外板殻体と、外部から収容空間に連通する導油管と、を含み、該加熱体は、外板殻体の収容空間内に設置され、加熱体内部に加熱空間と、外部から加熱空間に連通する入熱管及び互いに間隔をあけた排熱管と、を設け、熱源を誘導して順に入熱管、加熱空間及び排熱管を通過させ、熱源に加熱空間を経由して加熱体に対して加熱を行わせ、該導熱油は、外板殻体の導油管を通過し、収容空間内に入り、且つ導熱油は、収容空間内と加熱体外に分布し、加熱体に導熱油を合わせて加熱を外板殻体に伝導させる。
【０００８】
前記フィルタプレス用加熱板において、該外板殻体は、内周開口を有する固定フレームと、固定フレームの相対する両側を覆う２つのシール板と、を含み、該収容空間は、固定フレーム内周開口と２つのシール板の間に形成される。
【０００９】
前記フィルタプレス用加熱板において、該外板殻体の両側のシール板は、加熱体の相対する両側に寄せられ、且つ両側のシール板は、加熱体の加熱中に外へ膨張し、導熱油を吸引し、両側のシール板と加熱体との間に進入させる。
【００１０】
前記フィルタプレス用加熱板において、該導油管は、外板殻体上部に延伸し、且つ導油管は、外へ向けて導熱油容器を接続する。
【００１１】
前記フィルタプレス用加熱板において、該加熱体は、中空状板殻体として設けられ、内部に加熱空間を構成し、且つ板殻体の形状は、収容空間に合わせられ、該加熱体の入熱管、排熱管が外板殻体に伸出する。
【００１２】
前記フィルタプレス用加熱板において、該加熱体は、寄せ合わせられて配列される複数の板殻体であり、各板殻体は、それぞれ入熱管と排熱管を設ける。
【００１３】
前記フィルタプレス用加熱板において、該加熱体は、加熱管体として設けられ、且つ加熱管体の分布は収容空間に合わせられ、該加熱管体は、相互に接続して連通する加熱管部を含み、該加熱体の入熱管、排熱管は、外板殻体に伸出する。
【発明の効果】
【００１４】
本発明のフィルタプレス用加熱板は、加熱体及び導熱油を収容設置する外板殻体であり、そのうち、該外板殻体は、中空状矩形体に設けられ、外板殻体内部に収容空間を形成する外板殻体と、導油管と、を含み、加熱体は、外板殻体の収容空間内に設置され、加熱体内部に加熱空間を設け、熱源に加熱空間を経由して加熱体に対して加熱を行わせ、導熱油は、外板殻体の導油管を通過し、収容空間内に入り、且つ導熱油は、収容空間内と加熱体外に分布し、加熱板の構造の受力強度及び使用寿命を向上させ、且つ加熱体に直接加熱及び導熱油を合わせて外板殻体に伝導加熱させ、加熱効果の均衡及び安定を達成する。
【図面の簡単な説明】
【００１５】
【図１】従来の汚泥フィルタプレスが汚泥を加熱押圧する説明図である。
【図２】本発明のフィルタプレス用加熱板とろ過板が重なり合って寄せ合わせられた断面図であり、且つ汚泥入口及び導油管を表示する。
【図３】図２の加熱板の立体図である。
【図４】図３の加熱板の断面拡大図であり、汚泥入口と導油管を表示する。
【図５】図３の加熱板の断面拡大図であり、入熱管と排熱管を表示する。
【図６】図３の加熱板内部の立体図である。
【図７】図６の固定フレームと加熱板の断面図である。
【図８】図６の固定フレームとシール板の立体図である。
【図９】図６の加熱板の立体分解図である。
【図１０】図６の固定フレームにもう１種の加熱板を設置した立体図である。
【図１１】本発明のフィルタプレスが汚泥をフィルタプレッシングする動作図であり、且つ汚泥入口と導油管を表示する。
【図１２】本発明の汚泥をフィルタプレッシング及び加熱する動作図であり、入熱管と排熱管を表示する。
【発明を実施するための形態】
【００１６】
本発明が上記の目的を達成する為に採用する技術手段及びその効果について、実施例を挙げ、図面に合わせて以下に説明する。
【００１７】
先ず、図２〜図４を参照し、図から分かるように、本発明のフィルタプレスは、従来同様に機械構造軌道上に複数の相対するろ過板１を設け、各２つのろ過板１の間にそれぞれ加熱板２を介在させ、各ろ過板１と加熱板２を順に交錯して重ね合わせて活動的に寄せ合わせ、それは、相互に活動的に移動分離することができる。
【００１８】
図に示すように、各ろ過板１は、金属材質の矩形体に設け、ろ過板１の両側にそれぞれ大きな領域の凹陥状のろ過室１２、及び両側が貫通する汚泥入口１３を設け、且つろ過板１の各隅に汚水排出孔１４を設け、２つのろ過室１２表面にそれぞれ汚泥入口１３と相通するろ過布１１を設置する。
【００１９】
図２〜図９に示すように、本発明のフィルタプレス用加熱板２は、外板殻体３と、それが収容設置する加熱体４及び導熱油５と、を含む。
【００２０】
該外板殻体３は、中空状金属材質の矩形体に設けられ、且つ外板殻体３は、内周開口３１１及びスロット３１２を有する固定フレーム３１と、固定フレーム３１の相対する両側を覆う２つのシール板３２を含み、外板殻体３内部の固定フレーム３１の内周開口３１１と２つのシール板３２の間に収容空間３５を密封形成し、外部から収容空間３５に連通する導油管３７を設け、且つ導油管３７は、外板殻体３上部に伸出される。該外板殻体３両側は、汚泥入口３３及び複数の汚水排出孔３４を貫通設置し、且つ各汚水排出孔３４及び汚泥入口３３は、それぞれ収容空間と相通せず、外板殻体３の両辺に支持部材３６を設ける（図３参照）。
【００２１】
該加熱体４は、外板殻体３の収容空間３５内に設置され、加熱体４は、寄せ合わせられて配列される中空状金属材質の複数の板殻体４１として設けられ、内部の加熱空間４２を構成することができ、板殻体４１の形状は、収容空間３５に合わせられ、板殻体４１は、外部から加熱空間４２に連通する入熱管４３及び相互に間隔をあけた排熱管４４をそれぞれ設け、且つ加熱体４の入熱管４３、排熱管４４は、外板殻体３に伸出し、熱源７（図５〜図１２参照）を順に入熱管４３、加熱空間４２及び排熱管４４を通過させるよう誘導し、熱源７に加熱空間４２を経由して加熱体４に対する加熱を行わせる。
【００２２】
該導熱油５は、導熱油容器５１（図４及び図１１参照）を利用して各該外板殻体３の導油管３７に接続し、導熱油５は、外板殻体３の導油管３７を通過して収容空間３５内に進入することができ、且つ導熱油５は、それぞれ収容空間３５内と加熱体４外に分布し、加熱体４を外板殻体３に接触加熱させることができ、加熱体４は、更に、導熱油５を合わせて外板殻体３に伝導加熱することができる。
【００２３】
上記により、本発明は、汚泥フィルタプレシングの作業を開始する時、図２〜図５を参照し、各ろ過板１及び加熱板２を順に交錯して重ね合わせて寄せ合わせ、且つ外板殻体３の両側のシール板３２は、加熱体４の相対する両側に寄せられ、導熱油５は、外板殻体３の導油管３７を通過して収容空間３５内に進入することができ、導熱油５を収容空間３５内と加熱体４外表面の隙間中に分布させる。フィルタプレスは、更に、ポンプ（図示せず）を利用して含水した汚泥８を送り、各汚泥入口１３，３３を通過させ（図２及び図１１参照）、汚泥８を各ろ過板１のろ過室１２内に進入させて押圧脱水を行わせ、汚水を各ろ過板１の両側のろ過布１１及び汚水排出孔１４，３４へ流入させて外へ排出させる。図５及び図１２を参照し、外部の蒸気類の熱源７を入熱管４３、加熱空間４２及び排熱管４４へ順に通過させ、熱源７に加熱空間４２を経由させ、加熱体４に対する加熱を行わせ、且つ両側のシール板３２の加熱体４の加熱中は、外へ膨張し、導熱油５を吸引し（図１１参照）、更に、両側のシール板３２内と加熱体４の外表面との隙間中に進入し、加熱体４を外板殻体３に接触加熱させることができ、加熱体４は、導熱油５を合わせて外板殻体３に伝導加熱することができ、更に、加熱板２の両側のシール板３２により、ろ過室１２の汚泥８に対して加熱を行い、汚泥８が含む水分を気化させ、水分が同様に汚染排水孔１４，３４から外へ排出され、最後に汚泥フィルタプレスは、各ろ過板１と加熱板２を逐一挟持し、引っ張って開き、フィルタプレシングを完成した汚泥８を併せてドロップさせることができる。
【００２４】
本発明のフィルタプレス用加熱板２は、外板殻体３内部と加熱体４との間に導熱油５を充満し、加熱板２の構造の受力強度と使用寿命を向上し、且つ加熱体４は、直接加熱及び導熱油５を併せて外板殻体３に伝導加熱することができ、加熱効果の均衡と安定を達成する。また、加熱体４は、併せて配列される板殻体４１を採用し、板殻体４１及びシール板３２の側面の加熱時の膨張幅を低減し、加熱板２に更に耐久性をもたせることができる。
【００２５】
図１０を参照し、固定フレーム３１の収容空間３５にもう１種の加熱体６を設置することができ、この加熱体４は、加熱管体６１として設けられ、加熱管体６１の分布を収容空間３５内に合わせ、且つ加熱管体６１の入熱管６３、排熱管６４が固定フレーム３１外に伸出し、加熱管体６１は、互いに接続して連通する加熱管部６２を含み、且つ加熱管部６２は、シームレス鋼管を採用して製造することができ、構造強度及び使用寿命を向上することができる。
【００２６】
上記の実施例は、本発明の実施形態を例示すること、及び本発明の技術特徴を理解することに用いるものであり、本発明の保護範疇を制限することに用いるのではない。
【符号の説明】
【００２７】
１  ろ過板
１１  ろ過布
１２  ろ過室
１３  汚泥入口
１４  汚水排出孔
２  加熱板
３  外板殻体
３１  固定フレーム
３１１  内周開口
３１２  スロット
３２  シール板
３３  汚泥入口
３４  汚水排出孔
３５  収容空間
３６  支持部材
３７  導油管
４  加熱体
４１  板殻体
４２  加熱空間
４３  入熱管
４４  排熱管
５  導熱油
５１  導熱油容器
６  加熱体
６１  加熱管体
６２  加熱管部
６３  入熱管
６４  排熱管
７  熱源
８  汚泥
【図１】
2017077502.tif 000003
【図２】
2017077502.tif 000004
【図３】
2017077502.tif 000005
【図４】
2017077502.tif 000006
【図５】
2017077502.tif 000007
【図６】
2017077502.tif 000008
【図７】
2017077502.tif 000009
【図８】
2017077502.tif 000010
【図９】
2017077502.tif 000011
【図１０】
2017077502.tif 000012
【図１１】
2017077502.tif 000013
【図１２】
2017077502.tif 000014